(57)【要約】【課題】枝葉を収集する収集箱を容易に左右付け替え可能に構成したヘッジトリマを提供すること。【解決手段】上記目的を達成するために、刈り刃５を挟持するブレードホルダー６あるいはホルダーガイド７に、収集箱３を係止手段により回転自在に係止する構成とした。このように構成することにより、収集箱３をヘッジトリマ１の例えば右側から左側に付け替える場合は、凸部９が孔１０に係合して収集箱３を保持しているので、収集箱３の基部３ａに力を加え、その弾性力に抗して凸部９と孔１０の係合を解除し、その後、収集箱３を係止手段８の周りで回転させてヘッジトリマ１の左側に持っていき、凸部９を他方の孔１０に係合させる。【選択図】図１
2010178661.tif 000002
【特許請求の範囲】
【請求項１】
枝葉を収集する収集箱を左右付け替え可能に装着できるようにしたヘッジトリマにおいて、刈り刃を挟持するブレードホルダーあるいは該ブレードホルダーに装着されたホルダーガイドに、該収集箱を係止手段により回転自在に係止することを特徴とするヘッジトリマ。
【発明の詳細な説明】
【技術分野】
【０００１】
本発明は、ヘッジトリマにかかり、特に刈り取った枝葉を収集する収集箱の左右付け替え機構に関するものである。
【背景技術】
【０００２】
特許文献１に開示された従来のヘッジトリマは、刈り刃の長手方向に沿って半円筒形状の刈屑収集トレイを反転自在に設けてなるものであり、生垣等の側面の刈り取り作業において生垣等が作業者の左側に位置する場合と右側に位置する場合があるが、この作業方向が変わっても刈屑収集トレイを反転することで対応できるものである。また、特許文献２に開示された従来のヘッジトリマでは、箱型のチップレシーバの取り付けネジを外すことにより左右付け替え可能としていた。
【先行技術文献】
【特許文献】
【０００３】
【特許文献１】実公平２−３８６１０公報
【特許文献２】特開２００１−７８５７１公報
【発明の概要】
【発明が解決しようとする課題】
【０００４】
特許文献１に開示された従来のヘッジトリマは、刈り刃の長手方向に沿って半円筒形状の刈屑収集トレイを反転自在に設けてなるものであり、刈屑収集トレイの底が浅く十分な量の収集が困難であった。また、トレイが反転する回転軸線は刈り刃の長手方向と常に平行であり、作業者が腰を伸ばした姿勢で生垣等の地面に近い部分の枝葉を刈ると、刈り取った枝葉がトレイに効率よく入らないという問題があった。特許文献２に開示された従来のヘッジトリマでは、箱型のチップレシーバの左右付け替え時に取り付けネジを外す必要があり、操作性が悪いという問題があった。
【０００５】
本発明は、上記問題を解決するためになされたもので、底の深い収集箱を容易に左右付け替え可能に構成したヘッジトリマを提供することを目的とする。
【課題を解決するための手段】
【０００６】
上記目的を達成するために、刈り刃を挟持するブレードホルダーあるいはブレードホルダーに装着されたホルダーガイドに収集箱が係止手段により回転自在に係止される構成とした。
【発明の効果】
【０００７】
本発明のヘッジトリマは上記の構成としたので、収集箱の左右付け替えを操作性よく行うことができるという効果がある。また、従来技術に開示されたトレイに比べて底の深い収集箱を左右付け替え自在に装着するすることができるという効果がある。また、左右付け替え途中の状態でヘッジトリマの先端を下方に傾けると、収集箱の開口面は自重で常に上を向き、生垣等の地面に近い部分の枝葉を刈る場合に刈り取った枝葉を効率よく収集できるという効果がある。
【図面の簡単な説明】
【０００８】
【図１】本発明にかかるヘッジトリマであって、右側に収集箱が取り付けられている状態の斜視図である。
【図２】本発明にかかるヘッジトリマであって、左側に収集箱が取り付けられている状態の斜視図である。
【図３】収集箱の左右付け替え途中を表す図である。
【図４】収集箱の取り付け図である。
【発明を実施するための形態】
【０００９】
以下、本発明を実施するための好適な実施形態について、図面に基づいて説明する。
【実施例１】
【００１０】
図１において、１は本発明にかかるヘッジトリマで、２はヘッジトリマ本体であり本体ハンドル２ａを後方に備え、図示しないモータ等の駆動機構を内蔵している。３は刈り取った枝葉を収集する収集箱で、略平面形状の基部３ａと袋状に成形された袋部３ｂからなっている。４はヘッジトリマ１のハンドルであり、５はヘッジトリマ１の刈り刃である。６は刈り刃５を上下において挟持するブレードホルダーで、図１では上下のブレードホルダー６の内の上側のブレードホルダー６が見える。７は上側のブレードホルダー６に装着されたホルダーガイドであり、装着は、上側のブレードホルダー６の両側面に溝６ａ、６ａが設けられており、上側のブレードホルダー６の先端側から溝６ａ、６ａにホルダーガイド７を差し込んで図示しないネジ等で固定する。８はホルダーガイド７に設けられた図示しないネジ孔に収集箱３を回転自在に取り付ける係止手段である。図４に詳細に示すように、係止手段８はボルトであり、これを収集箱３の基部３ａに設けられた孔３ｃに通し、図示しないホルダーガイド７に設けられたネジ孔にねじ込むように構成されている。収集箱３を回転自在に取り付けるためには、係止手段８のボルトの付け根部分は、基部３ａの厚み以上にネジが切られていないものが望ましい。また、孔３ｃは収集箱３の開口面に近い位置の横幅の略中心に設けられている。１０は基部３ａの両端に設けられた孔で、ホルダーガイド７上に設けられた凸部９と適度に係合するようになっている。
【００１１】
生垣の側面をヘッジトリマ１で刈り取る作業においては、生垣等が作業者の左側に位置する場合と右側に位置する場合がある。生垣等が作業者の左側に位置する場合は、図１のように収集箱３をヘッジトリマ１の右側に取り付け、左手でハンドル４を、右手で本体ハンドル２ａを握って、収集箱３の開口を上向きにして作業を行い、逆に、生垣等が作業者の右側に位置する場合は、図２のように収集箱３をヘッジトリマ１の左側に取り付け、右手でハンドル４を、左手で本体ハンドル２ａを握って、収集箱３の開口を上向きにして作業をするのが一般的である。このように、作業方向の違いにより、収集箱３の左右付け替えが必要となる。
【００１２】
本発明は収集箱３の左右付け替えを容易に行いうるものであり、図１の状態から図２の状態に収集箱３を付け替える場合を以下に説明する。図１において、凸部９が孔１０に係合して収集箱３を図１の状態に保持しているのでこれを解除する必要がある。この解除は収集箱３の基部３ａに力を加え、その弾性力に抗して凸部９と孔１０の係合を解除する。基部３ａをプラスチックあるいは板金等の材料で製作すれば適当な弾性力が期待できる。図１では凸部９は一つであるが、他方の孔１０に係合するようにもう一つ設けてもよい。
【００１３】
係合が解除されると収集箱３は係止手段８の周りで回転自在となり、左右付け替え途中の状態では図３のようになる。その後さらに回転させて図２に示すように左右付け替えが終了すると、再び凸部９は他方の孔１０に係合して収集箱３は図２の状態に保持されることとなる。
【００１４】
作業者が腰を伸ばした姿勢で生垣等の地面に近い部分の枝葉を刈る場合には、図３のような状態でヘッジトリマ１を使用することが可能である。この場合、刈り刃５の長手方向は地面に対してたとえば４５度の角度を持つようにヘッジトリマ１は先端が下方へ傾けられた姿勢で使用される。このとき収集箱３をホルダーガイド７に回転自在に係止する構成としたので、収集箱３の開口面は自重で常に上を向き刈り取った枝葉を効率よく収集できる。
【００１５】
以上図に基づいた説明においては、ホルダーガイド７上に設けた図示しないネジ孔に収集箱３を係止手段８により回転自在に係止する態様であったが、ホルダーガイド７を省略し、前記ネジ孔をブレードホルダー６上に直接設けて係止するようにしてもよい。この場合は、凸部９もブレードホルダー６上に設けることになる。また、係止手段８はボルトで構成したが、これに限定することなく、たとえばホルダーガイド７に突起を設けたものでもよく、種々の構成が可能である。
【産業上の利用可能性】
【００１６】
本発明にかかるヘッジトリマ１は、底の深い収集箱の左右付け替えが簡単にできるので極めて有用である。また、収集箱３の開口が自重で常に上を向くようにすることもでき、刈り取った枝葉を効率よく収集でき、極めて有用である。
【符号の説明】
【００１７】
１        ヘッジトリマ
２        ヘッジトリマ本体
３        収集箱
４        ハンドル
５        刈り刃
６        ブレードホルダー
７        ホルダーガイド
８        係止手段
９        凸部
１０      孔
【図１】
2010178661.tif 000003
【図２】
2010178661.tif 000004
【図３】
2010178661.tif 000005
【図４】
2010178661.tif 000006